(57)【要約】【課題】  導電配線間で、等しい抵抗を有する導電配線構造を提供する。【解決手段】本発明は、液晶ディスプレイのための導電配線構造を提供するものである。この構造においては、周辺端子を画素領域に接続するために、曲がった複数の導電配線が使用される。これらの屈曲導電配線は、異なる長さまたは幅となるように設計され、等しい抵抗を実現し、画素領域と周辺端子との間の狭いスペースにおさまる。【選択図】  図１
2004354961.tif 000002
【特許請求の範囲】
【請求項１】
液晶ディスプレイのための導電配線構造であって、
前記導電配線構造は、表示領域を有する液晶表示パネル上に形成され、
前記構造は、
前記表示領域の外側に配置された周辺端子と、
前記表示領域内に配置された画素端子と、
前記周辺端子および前記画素端子を接続するための、屈曲部分を有する導電配線と、
を備えることを特徴とする導電配線構造。
【請求項２】
液晶ディスプレイのための導電配線構造であって、
前記導電配線構造は、表示領域を有する液晶表示パネル上に形成され、
前記構造は、
前記液晶表示パネルの周りに配置された複数の周辺端子と、
前記表示領域内に配置された複数の画素端子と、
前記周辺端子と前記画素端子とを接続するための、屈曲部分を有する複数の導電配線と、
を備え、
前記複数の導電配線は、等しい抵抗を有することを特徴とする導電配線構造。
【請求項３】
請求項１または２記載の導電配線構造であって、
前記周辺端子は、ソース側周辺端子であることを特徴とする導電配線構造。
【請求項４】
請求項１または２記載の導電配線構造であって、
前記周辺端子は、ゲート側周辺装置端子であることを特徴とする導電配線構造。
【請求項５】
請求項１または２記載の導電配線構造であって、
前記屈曲部分の角度は、９０度未満であることを特徴とする導電配線構造。
【請求項６】
請求項１または２記載の導電配線構造であって、
前記屈曲部分は、Ｖ字形に屈曲していることを特徴とする導電配線構造。
【請求項７】
請求項１または２記載の導電配線構造であって、
前記周辺端子は、内部シュリンク端子であることを特徴とする導電配線構造。
【請求項８】
請求項２記載の導電配線構造であって、
前記等しい抵抗は、導電配線を、異なる長さに形成することにより達成されることを特徴とする導電配線構造。
【請求項９】
請求項２記載の導電配線構造であって、
前記等しい抵抗は、導電配線を、異なる幅に形成することにより達成されることを特徴とする導電配線構造。
【請求項１０】
請求項１〜９のいずれか１項に記載の導電配線構造を有することを特徴とする液晶ディスプレイ。
【発明の詳細な説明】
【技術分野】
【０００１】
本発明は、導電配線構造に係り、特に、液晶ディスプレイ(ＬＣＤ)のための導電配線構造に関する。
【背景技術】
【０００２】
液晶ディスプレイ(ＬＣＤ)が急速に発展した結果、エンタテインメント装置に対するユーザーの要求は著しく高いものになっている。よりよい使い心地に対する要求が、ますます液晶ディスプレイの大型化へと市場を駆り立てている。
【０００３】
しかし、この傾向により、液晶表示パネルとシェルとの間のスペースが圧縮されている。
【０００４】
図５は、薄膜トランジスタ液晶表示パネル(ＴＦＴ  ＬＣＤ  ＰＡＮＥＬ)の図である。一般的に、液晶表示パネル１００は、画素領域１０２、ゲート側周辺端子１０４、ソース周辺端子１０６、周辺端子１０４,１０６を画素領域１０２に接続するための導電配線１０８、を備える。
【０００５】
しかし、大型の液晶ディスプレイは、導電配線１０８の抵抗を増大させる可能性がある。また、これによりＲＣ遅延現象が大きくなる。さらに、導電配線１０８間で抵抗が異なると、ゲート線およびソース線の間で入力信号に影響を与えることもある。
【０００６】
一方、表示品質が高く、軽量な液晶ディスプレイ製品が必要とされていることから、周辺端子１０４,１０６および導電配線１０８の占有スペースの縮小に対する要求がさらに高まっている。  
【０００７】
導電配線１０８が、高表示品質、軽量な構造となるように、液晶ディスプレイ製品を設計することは非常に重要である。特に、チップオンフィルム周辺端子が用いられている場合、従来の導電配線構造では、容量を小さくし、かつ、導電配線間の抵抗を等しくすることができない。
【発明の開示】
【発明が解決しようとする課題】
【０００８】
本発明の目的は、導電配線間で、等しい抵抗を有する導電配線構造を提供することにある。また、本発明の他の目的は、導電配線のために必要なスペースを縮小できる導電配線構造を提供することにある。
【課題を解決するための手段】
【０００９】
本発明は、液晶ディスプレイのための導電配線構造を提供する。この構造においては、周辺端子と画素領域とを接続するために、曲がった導電配線が使用される。これらの屈曲導電配線は、等しい抵抗を実現し、かつ、画素領域と周辺端子との間の狭いスペースにおさまるように、異なる長さまたは幅で設計される。抵抗が等しい複数の導電配線により、周辺端子からの入力信号のＲＣ遅延値を低減できる。一方、本発明は、また、内部シュリンク周辺端子を導入する。この端子によれば、導電配線のためのスペースをさらに増やすことができる。
【発明の効果】
【００１０】
本発明によれば、導電配線間で、等しい抵抗を有する導電配線構造が提供される。また、導電配線のために必要なスペースを縮小できる導電配線構造が提供される。
【発明を実施するための最良の形態】
【００１１】
添付の図面とともに以下の詳細な説明を参照することにより、本発明がより理解されるとともに、本発明に係る後述の態様および付随する利点の多くが直ちに評価される。
【００１２】
本発明の趣旨及び範囲を限定することなく、本発明において提案される導電配線構造を、好ましい一実施形態により説明する。当業者であれば、本実施形態を知ることにより、本発明に係る導電配線構造をさまざまな液晶ディスプレイに適用することができる。本導電配線構造は、周辺端子と画素領域とを接続するために、曲がった複数の導電配線を使用する。これらの屈曲導電配線は、等しい抵抗を実現し、かつ、画素領域と周辺端子との間の狭いスペースにおさまるように、異なる長さまたは幅を有する。抵抗が等しい複数の導電配線により、周辺端子からの入力信号のＲＣ遅延値変動が抑制される。また、このような抑制により、ゲート線およびソース線の間における、入力信号の変動が抑制される。したがって、液晶ディスプレイの表示品質を改善することができる。一方、本発明には、また、内部シュリンク(inner-shrink)周辺端子が導入される。この端子により、導電配線のためのスペースをより広くすることができる。本発明の適用は、以下に記載されている実施形態により制限されるものではない。
【００１３】
図１は、本発明の第一実施形態に係る導電配線構造の概略平面図である。
【００１４】
抵抗が等しくなり、かつ、画素端子２００と周辺端子２０２との間の狭いスペースにおさまるように、導電配線２０４は、曲げられて、画素端子２００と周辺端子２０２とを接続している。第一の実施形態によれば、導電配線２０４は、周辺端子２０２からの方向を変えるために二度曲げられている。その角度は、先端放電を避けるために９０度未満とされている必要がある。一方、これらの導電配線２０４は、それらの間の抵抗差が抑制されるように、異なる幅を有していてもよい。これにより、結果として、周辺端子２０２からの入力信号のＲＣ遅延変動が抑制される。
【００１５】
図２は、本発明の第二実施形態に係る導電配線構造の概略平面図である。この図には、導電配線２０４、画素端子２００および周辺端子２０２が示されている。
【００１６】
抵抗が等しくなり、かつ、画素端子２００と周辺端子２０２との間の狭いスペースにおさまるように、導電配線２０４は、Ｖ字形に曲げられて、画素端子２００と周辺端子２０２とを接続している。その屈曲角度は、先端放電を避けるために９０度未満とされている必要がある。一方、これらの導電配線２０４は、それらの間の抵抗差が抑制されるように、異なる幅を有していてもよい。これにより、結果として、周辺端子２０２から入力信号のＲＣ遅延変動が抑制される。
【００１７】
第一および第二実施形態に係る導電配線構造は、狭いスペース内の液晶ディスプレイに使用するために、従来の導電配線構造と組み合わせることができる。さらに、本発明の導電配線構造は、ゲート側およびソース側の双方に使用できる。本発明の導電配線構造は、さまざまな表示装置（例えばＴＦＴ  ＬＣＤ、ＳＴＮ  ＬＣＤ、ＯＬＥＤ、ＬＴＰＳ等）に適用できる。尚、軽量でなければならず、かつ、導電配線のためのスペースが限られているどのような電気製品に対しても、この導電配線構造を使用することができる。
【００１８】
図３は、本発明の第一実施形態に係る周辺端子の概略平面図である。
【００１９】
導電配線用のスペースをより広くするために、内部シュリンク周辺端子２０２が本発明に導入された。導電配線２０４のためのスペースをより広くするため、端子２０６が縮小(shrunk)されている。この内部シュリンク周辺端子２０２により、導電配線２０４の設計の自由度が高められる。
【００２０】
図４は、本発明の第二実施形態に係る周辺端子の概略平面図である。本実施形態によれば、端子２０６に接続される導電配線２０４は、複数の屈曲部分を形成するように曲げられている。これらの屈曲部分により、導電配線２０４を長くして、抵抗を増加させることができる。
【００２１】
以上の説明からわかるように、本発明に係る導電配線構造には多くの利点がある。まず、従来の導電配線構造、特にチップオンフィルム周辺端子では、容量を小さくできず、かつ、導電配線間で抵抗を等しくすることができない。しかし、本発明においては、必要とされるスペースを低減するために、曲がった複数の導電配線を使用して、周辺端子を画素領域に接続する。一方、導電配線のためのスペースをより広くするため、本発明には、内部シュリンク周辺端子が導入される。したがって、ユーザーは、導電配線抵抗を修正して、差を減らすために、この付加的なスペースを利用することができる。
【００２２】
当業者により理解されるように、上述した実施形態は、本発明の説明のための例示であり、本発明の範囲を限定するものではない。この詳細な説明は、添付の請求項の趣旨および範囲を逸脱することなく、様々な修正および類似の構成を含むことを意図し、その範囲とは、このような修正および類似の構造をすべて包含するような最も広い解釈に一致すべきものである。
【図面の簡単な説明】
【００２３】
【図１】本発明の第一実施形態に係る導電配線構造の概略平面図である。
【図２】本発明の第二実施形態に係る導電配線構造の概略平面図である。
【図３】本発明の第一実施形態に係る周辺端子の概略平面図である。
【図４】本発明の第二実施形態に係る周辺端子の概略平面図である。
【図５】薄膜トランジスタ液晶表示パネル(TFT LCD Panel)の概略平面図である。
【符号の説明】
【００２４】
２００：画素端子、２０２：周辺端子、２０４：導電配線、２０６：端子
【図１】
2004354961.tif 000003
【図２】
2004354961.tif 000004
【図３】
2004354961.tif 000005
【図４】
2004354961.tif 000006
【図５】
2004354961.tif 000007